(57)【特許請求の範囲】
【請求項１】
プリンタ本体側に設けられた軸受部に、給紙トレイに設けられた枢軸が回動自在に支持され、前記プリンタ本体側に設けられたカム機構の回転カムと前記給紙トレイに設けられたカム接触部との接触により、前記給紙トレイが前記枢軸回りに揺動されるよう構成されたプリンタであって、
前記プリンタはレーザプリンタであり、
前記給紙トレイはプリンタ本体の底部に設けられており、
前記軸受部は、プリンタ本体側の部材に一体成形されているとともに、弾性変位可能に設けられ、
前記プリンタ本体側には、前記軸受部の弾性変位を行なう位置調整手段が設けられ、
前記プリンタ本体側の部材は合成樹脂製であり、該部材から延出する舌状部の先端に前記軸受部が設けられており、
前記位置調整手段は、前記プリンタ本体側に螺合されたネジからなり、該ネジの先端が前記軸受部に係合しており、
前記舌状部には、前記枢軸を着脱自在に前記軸受部に案内するガイド溝が形成されており、
前記プリンタ本体側の部材は左右の側板であり、前記ガイド溝は前記側板の後端部に開口しており、該開口部から前記枢軸を挿脱自在としており、
前記ネジは前記側板の後端部から該側板に螺合されており、
前記枢軸は、前記給紙トレイの後端側の左右両側部に左右方向に突出成形されており、
前記カム接触部は前記給紙トレイの前端側の左右両側部に上方突出成形されたポストの上面により構成されていることを特徴とするプリンタ。
【請求項２】
プリンタ本体側に設けられた軸受部に、給紙トレイに設けられた枢軸が回動自在に支持され、前記プリンタ本体側に設けられたカム機構の回転カムと前記給紙トレイに設けられたカム接触部との接触により、前記給紙トレイが前記枢軸回りに揺動されるよう構成されたプリンタであって、
前記軸受部は、プリンタ本体側の部材に一体成形されているとともに、弾性変位可能に設けられ、
前記プリンタ本体側には、前記軸受部の弾性変位を行なう位置調整手段が設けられていることを特徴とするプリンタ。
【請求項３】
前記プリンタ本体側の部材は合成樹脂製であり、該部材から延出する舌状部の先端に前記軸受部が設けられていることを特徴とする請求項２記載のプリンタ。
【請求項４】
前記位置調整手段は、前記プリンタ本体側に螺合されたネジからなり、該ネジの先端が前記軸受部に係合していることを特徴とする請求項３記載のプリンタ。
【請求項５】
前記舌状部には、前記枢軸を着脱自在に前記軸受部に案内するガイド溝が形成されていることを特徴とする請求項３または４記載のプリンタ。
【請求項６】
前記プリンタ本体側の部材は左右の側板であり、前記ガイド溝は前記側板の後端部に開口しており、該開口部から前記枢軸を挿脱自在としており、
前記ネジは前記側板の後端部から該側板に螺合されており、
前記枢軸は、前記給紙トレイの後端側の左右両側部に左右方向突出成形されており、
前記カム接触部は前記給紙トレイの前端側の左右両側部に上方突出成形されたポストの上面により構成されていることを特徴とする請求項５記載のプリンタ。
【発明の詳細な説明】
【技術分野】
【０００１】
本発明は、プリンタに関する。
【背景技術】
【０００２】
レーザ式等のプリンタとして、たとえば、特許文献１（特開平１０−２３１０３１号公報）に記載のものが公知である。
【０００３】
この従来のレーザプリンタは、給紙トレイを有しており、用紙は給紙トレイのトレイ底板に積載された状態で画像形成装置本体内に収納されている。トレイ底板は後端部を中心に先端が揺動自在に設けられており、トレイ底板の下部に設けられたスプリングによりトレイ底板は上側に押圧されている。
【０００４】
また、トレイを本体側に枢支する構造として、特許文献２（特開２００２−３４７９９７号公報）に記載のものが公知である。
【特許文献１】特開平１０−２３１０３１号公報
【特許文献２】特開２００２−３４７９９７号公報
【発明の開示】
【発明が解決しようとする課題】
【０００５】
前記特許文献１記載のプリンタにおいて、プリンタ本体側に設けられた軸受部に、給紙トレイに設けられた枢軸を回動自在に支持し、前記プリンタ本体側にカム機構を設け、該カム機構には回転カムを設け、給紙トレイには、前記回転カムと接触するカム接触部を設け、前記カムの回転により前記給紙トレイを上下方向に揺動させて、給紙トレイ内の用紙をプリンタ本体内へ供給するようにした場合、各部品の製作誤差や、組み立て誤差により、回転カムとカム接触部の相対的な位置関係が不適切となり、正確な給紙が行なえず、また騒音発生の原因になるという問題がある。
【０００６】
前記特許文献２記載の枢支構造を採用しても、前記問題点は解消することができない。
そこで、本発明は、部品の製作誤差や組み立て誤差が生じても、プリンタ本体側に設けられた回転カムと、給紙トレイ側に設けられたカム接触部との相対位置関係を修正することができるプリンタを提供することを目的とする。
【課題を解決するための手段】
【０００７】
前記目的を達成するため、本発明は、次の手段を講じた。即ち、本発明の特徴とするところは、プリンタ本体側に設けられた軸受部に、給紙トレイに設けられた枢軸が回動自在に支持され、前記プリンタ本体側に設けられたカム機構の回転カムと前記給紙トレイに設けられたカム接触部との接触により、前記給紙トレイが前記枢軸回りに揺動されるよう構成されたプリンタであって、前記軸受部は、プリンタ本体側の部材に一体成形されているとともに、弾性変位可能に設けられ、前記プリンタ本体側には、前記軸受部の弾性変位を行なう位置調整手段が設けられている点にある。
【０００８】
前記構成の本発明によれば、軸受部を位置調整手段により、弾性変位可能としているので、部品の製作誤差や組み立て誤差があっても、それらの誤差を修正することができ、カムとカム接触部の相対位置を適正なものにすることができる。
【０００９】
前記プリンタ本体側の部材は合成樹脂製であり、該部材から延出する舌状部の先端に前記軸受部が設けられているのが好ましい。
【００１０】
前記位置調整手段は、前記プリンタ本体側に螺合されたネジからなり、該ネジの先端が前記軸受部に係合しているのが好ましい。
【００１１】
前記舌状部には、前記枢軸を着脱自在に前記軸受部に案内するガイド溝が形成されているのが好ましい。
【００１２】
前記プリンタ本体側の部材は左右の側板であり、前記ガイド溝は前記側板の後端部に開口しており、該開口部から前記枢軸を挿脱自在としており、前記ネジは前記側板の後端部から該側板に螺合されており、前記枢軸は、前記給紙トレイの後端側の左右両側部に左右方向突出成形されており、前記カム接触部は前記給紙トレイの前端側の左右両側部に上方突出成形されたポストの上面により構成されているのが好ましい。
【００１３】
前記プリンタはレーザプリンタであり、前記給紙トレイはプリンタ本体の底部に設けられているのが好ましい。
【発明の効果】
【００１４】
本発明によれば、部品の製作誤差や組み立て誤差が生じても、プリンタ本体側に設けられた回転カムと、給紙トレイ側に設けられたカム接触部との相対位置関係を修正することができる。
【発明を実施するための最良の形態】
【００１５】
以下、この発明に基づいた各実施の形態について、図を参照しながら説明する。
図１〜図３において、本発明のプリンタとして、レーザプリンタが例示される。このプリンタは、プリンタ本体１と、該本体１の底部に組み込まれる給紙トレイ２とを有する。
【００１６】
前記給紙トレイ２は、平板状の用紙載置部３を有し、この載置部３に所定規格の印刷用紙を積層載置し、一枚ずつ本体側に供給する。
【００１７】
前記給紙トレイ２は合成樹脂製で、その用紙載置部３の後端の左右両側に枢軸４が左右方向突出状に一体成形されている。この枢軸４は、断面円形の円柱状に成形されている。給紙トレイ２の用紙載置部３の前端部の左右両側に、ポスト５が上方突出状に一体成形されている。このポスト５の上面がカム接触部６とされている。
【００１８】
プリンタ本体１は、本体側の部材としての左右一対の側板７を有する。この側板７は、合成樹脂から成形されている。この本体側の部材である側板７に軸受部８が設けられている。この軸受部８は、前記給紙トレイ２の枢軸４を回動自在に支持するものである。
【００１９】
前記側板７には、切欠き溝９を形成することにより、基部１０のみを残して側板７から分離された舌状部１１が形成されている。この舌状部１１の基部１０側とは反対の先端部に、前記軸受部８が設けられている。
【００２０】
前記舌状部１１は、側板７と同一の合成樹脂製であるので、側板７に対して弾性変位可能とされている。
【００２１】
前記舌状部１１には、前記枢軸４を着脱自在に前記軸受部８に案内するガイド溝１２が形成されている。
【００２２】
前記ガイド溝１２は前記側板７の後端部に開口する開口部１３を有する。この開口部１３から前記枢軸４を挿脱自在としている。このガイド溝１２は、後方から前方に向かい、そこから下方に向かって軸受部８に至る湾曲状に形成されている。またガイド溝１２は、左右方向内側にも開放されており、側部１４と周壁部１５とにより構成されている。側部１４と周壁部１５とをスリット１６により分離することにより、軸受部８の変位を容易とすることができる。
【００２３】
なお、軸受部８の上部は、ガイド溝１２より案内される枢軸４を受け入れ可能とする連通部１７が設けられている。この連通部１７の幅は、枢軸４の直径よりも小さくされ、枢軸４を押圧することにより弾性変形して枢軸４を軸受部８に受け入れ可能としている。受け入れた枢軸４は、この連通部１７により軸受部８からの離脱が防止されている。ただし、大きな力を加えることにより、連通部１７を通過して離脱可能とされている。
【００２４】
前記プリンタ本体側にはカム機構１８が設けられている。このカム機構１８は、回転軸１９と該回転軸１９に設けられた左右一対の回転カム２０とを有する。この一対の回転カム２０の外周面が、前記給紙トレイ２に設けられたポスト５の上面のカム接触部６と接触するように構成されている。
【００２５】
前記回転カム２０の回転により、前記給紙トレイ２が前記枢軸４の中心回りに揺動されるよう構成されている。この揺動運動により給紙トレイ２の印刷用紙を本体側に供給するように構成されている。
【００２６】
したがって、回転カム２０とカム接触部６の両者の相対位置が適切でないと、給紙動作が不正確になり、また騒音発生の原因になる。
【００２７】
そこで、両者の相対位置関係を修正すべく、前記プリンタ本体側には、前記軸受部８の弾性変位を行なう位置調整手段２１が設けられている。
【００２８】
前記位置調整手段２１は、前記プリンタ本体側に螺合されたネジ２２からなる。このネジ２２の先端が前記軸受部８に係合している。
【００２９】
前記ネジ２２は前記側板７の後端部から該側板７に螺合されている。即ち、側板７には、前後方向に貫通する雌ネジ孔２３が設けられ、該ネジ孔２３に、雄ネジ２２が螺合され、該雄ネジ２２の先端が軸受部８の外周面に当接している。
【００３０】
この雄ネジ２２をねじ込むことにより軸受部８の位置を前方に移動させることができる。ネジ２２を戻すことにより軸受部８は弾性変位して元に復元する。
【００３１】
このように、位置調整手段２１により軸受部８の前後方向の位置を調整することにより、回転カム２０とカム接触部６との接触位置を適正なものに調整することができる。
【００３２】
なお、今回開示した上記実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
【産業上の利用可能性】
【００３３】
本発明は、レーザプリンタ製造分野の産業において利用可能である。
【図面の簡単な説明】
【００３４】
【図１】本実施の形態のプリンタの要部の斜視図である。
【図２】図１の拡大図である。
【図３】本実施の形態のプリンタの要部の断面図である。
【符号の説明】
【００３５】
１  プリンタ本体、２  給紙トレイ、４  枢軸、５  ポスト、６  カム接触部、７  本体側の部材（側板）、８  軸受部、１１  舌状部、１２  ガイド溝、１３  開口部、１８  カム機構、２０  回転カム、２１  位置調整手段、２２  ネジ。
【図１】
0004424281.tif 000002
【図２】
0004424281.tif 000003
【図３】
0004424281.tif 000004